(57)【特許請求の範囲】
【請求項１】
座部の側方に設けられ、該座部に着座した使用者の肘を置くための肘掛けと、
前記肘掛けの下方に間隔をあけて設けられ、扁平箱状をなす操作器を載置保持するための載置台と
を備え、前記操作器の一扁平面に設定された操作面上の各種操作ボタンを操作することで背もたれ部に組み込まれたマッサージ機構を作動させ、前記使用者に対しマッサージを行うマッサージ椅子であって、
前記載置台の上面における前記肘掛けの真下位置には、前記載置台の上面に開口し、且つ前記操作面が前記マッサージ椅子の幅方向と直交する状態で前記操作器を載置保持可能な保持凹部が設けられ、前記保持凹部は、該保持凹部内に前記操作器の前記操作面の一部を収納することによって載置保持し、前記保持凹部の底部は前記幅方向に傾斜していることを特徴とするマッサージ椅子。
【請求項２】
請求項１に記載のマッサージ椅子において、
前記保持凹部は、載置保持された前記操作器が該保持凹部から一部突出するような深さに形成されたことを特徴とするマッサージ椅子。
【請求項３】
請求項２に記載のマッサージ椅子において、
前記操作器の端部には、前記操作面の操作に応じた信号を前記マッサージ機構に出力するためのコードが接続され、
前記保持凹部の深さは、前記操作器における前記コードとの接続部から前記保持凹部の底部と当接する端部までの幅寸法より浅く形成されたことを特徴とするマッサージ椅子。
【請求項４】
請求項１〜３のいずれか１項に記載のマッサージ椅子において、
前記保持凹部は、前記肘掛けの幅方向中央より前記座部側に設けられたことを特徴とするマッサージ椅子。
【請求項５】
請求項１〜４のいずれか１項に記載のマッサージ椅子において、
前記載置台は、硬質材料よりなるベース部材の表面に表皮材が被覆されてなり、前記保持凹部における前記座部側の側部は前記表皮材にて構成されたことを特徴とするマッサージ椅子。
【請求項６】
請求項１〜５のいずれか１項に記載のマッサージ椅子において、
前記保持凹部における幅方向の側部には、該幅方向に開口する開口部が形成されたことを特徴とするマッサージ椅子。
【発明の詳細な説明】
【技術分野】
【０００１】
本発明は、背もたれに組み込まれたマッサージ機構により、着座した使用者に対してマッサージを行うマッサージ椅子に関するものである。
【背景技術】
【０００２】
この種のマッサージ椅子において、マッサージ椅子本体から分離した操作器によりマッサージ機構を操作するものが種々提案されており、その中で操作器を収納する収納部をマッサージ椅子本体に設置したものがある。例えば特許文献１のものでは、肘掛けの下方に形成された凹部に操作器を載置保持するようになっている。この操作器は扁平形状をなし、その扁平面に形成された操作面を上にして凹部に載置保持される。このようなマッサージ椅子では、操作器の上方に位置する肘掛けがガードとなり、操作器の誤操作等を抑制している。
【特許文献１】特開平１０−２５８１０４号公報
【発明の開示】
【発明が解決しようとする課題】
【０００３】
ところで、上記特許文献１のようなマッサージ椅子では、操作器の取り出し性を考慮して、凹部の深さは操作器の一部が突出するように形成されている。しかしながら、この凹部には扁平形状をなす操作器を略水平に載置保持するようになっているため、操作器の凹部への入り込みが浅く、該操作器が不意に離脱し落下してしまう虞があった。また、これを防ぐべく操作器の全体が入るように凹部を深く形成した場合では、操作器が取り出し難くなる虞がある。
【０００４】
本発明は、上記課題を解決するためになされたものであって、その目的は、操作器を安定して載置保持することができるマッサージ椅子を提供することにある。
【課題を解決するための手段】
【０００５】
上記課題を解決するために、請求項１に記載の発明は、座部の側方に設けられ、該座部に着座した使用者の肘を置くための肘掛けと、前記肘掛けの下方に間隔をあけて設けられ、扁平箱状をなす操作器を載置保持するための載置台とを備え、前記操作器の一扁平面に設定された操作面上の各種操作ボタンを操作することで背もたれ部に組み込まれたマッサージ機構を作動させ、前記使用者に対しマッサージを行うマッサージ椅子であって、前記載置台の上面における前記肘掛けの真下位置には、前記載置台の上面に開口し、且つ前記操作面が前記マッサージ椅子の幅方向と直交する状態で前記操作器を載置保持可能な保持凹部が設けられ、前記保持凹部は、該保持凹部内に前記操作器の前記操作面の一部を収納することによって載置保持し、前記保持凹部の底部は前記幅方向に傾斜していることをその要旨とする。
【０００６】
この発明では、載置台上面における肘掛けの真下位置には、前記載置台の上面に開口し、且つ操作器を載置保持するための保持凹部が設けられ、その保持凹部は、操作器の一扁平面に設けられた各種操作ボタンにて構成される操作面がマッサージ椅子の幅方向（座部に着座した使用者に対して左右方向）と直交する状態で、操作器を保持可能となっている。このため、操作面を水平にして載置保持する構成よりも操作器が保持凹部に深く入り込むようにすることが可能であり、これにより、操作器を安定して載置保持することができる。
また、この発明では、保持凹部の底部が幅方向に傾斜しているため、載置保持された操作器の幅方向へのがたつきが抑制され、その結果、より安定して保持することができる。
【０００７】
請求項２の発明は、請求項１に記載のマッサージ椅子において、前記保持凹部は、載置保持された前記操作器が該保持凹部から一部突出するような深さに形成されたことをその要旨とする。
【０００８】
この発明では、保持凹部は載置保持された操作器が該保持凹部から一部突出するような深さに形成されるため、該保持凹部に載置保持された操作器を取り出し易くすることができる。
【０００９】
請求項３の発明は、請求項２に記載のマッサージ椅子において、前記操作器の端部には、前記操作面の操作に応じた信号を前記マッサージ機構に出力するためのコードが接続され、前記保持凹部の深さは、前記操作器における前記コードとの接続部から前記保持凹部の底部と当接する端部までの幅寸法より浅く形成されたことをその要旨とする。
【００１０】
この発明では、保持凹部の深さは、操作器におけるコードとの接続部から保持凹部の底部と当接する端部までの幅寸法より浅く形成される。これにより、操作器の載置保持状態において、コードとの接続部が保持凹部外に位置するため、コードが保持凹部の角に引っ掛かって曲がってしまうことが防止され、コードの早期劣化を防止することができる。特に、保持凹部の深さを操作器の前記幅寸法と同等とすれば、操作器を確実に保持しつつもコードの屈曲を防止することができる。
【００１１】
請求項４の発明は、請求項１〜３のいずれか１項に記載のマッサージ椅子において、前記保持凹部は、前記肘掛けの幅方向中央より前記座部側に設けられたことをその要旨とする。
【００１２】
この発明では、保持凹部は肘掛けの幅方向中央より座部側に設けられるため、操作器を座部側から容易に出し入れすることができる。
請求項５の発明は、請求項１〜４のいずれか１項に記載のマッサージ椅子において、前記載置台は、硬質材料よりなるベース部材の表面に表皮材が被覆されてなり、前記保持凹部における前記座部側の側部は前記表皮材にて構成されたことをその要旨とする。
【００１３】
この発明では、保持凹部における座部側の側部は表皮材にて構成されるため該側部が撓み易く、操作器を座部側から容易に出し入れすることができる。
【００１４】
請求項６の発明は、請求項１〜５のいずれか１項に記載のマッサージ椅子において、前記保持凹部における幅方向の側部には、該幅方向に開口する開口部が形成されたことをその要旨とする。
【００１５】
この発明では、保持凹部における幅方向の側部には、該幅方向に開口する開口部が形成されるため、保持凹部内に溜まった塵埃等のゴミを開口部から容易に除去することができる。
【発明の効果】
【００１６】
本発明によれば、操作器を安定して載置保持することができる。
【発明を実施するための最良の形態】
【００１７】
以下、本発明を具体化した一実施形態を図面に従って説明する。
図１に示すマッサージ椅子１０において、床面に載置される脚部１１にはマッサージ椅子１０の幅方向両端にそれぞれ配置された載置台としての一対の側壁１２が支持固定されるとともに、それら側壁１２間には使用者が着座可能な座部１３が固定されている。その座部１３の後部には、着座した使用者が背中をもたれ掛けさせるための背もたれ部１４が傾動可能に設けられるとともに、背もたれ部１４内部には使用者の肩から背中にかけてマッサージ可能なマッサージ機構１５が組み込まれている。
【００１８】
各側壁１２の上面１２ａにおける前後両端部には、上方に延びる支持部１６がそれぞれ固定されるとともに、それら支持部１６には使用者の腕や肘等を置くためのアーチ状の肘掛け１７が掛け渡されて固定されている。即ち、各側壁１２の上方において肘掛け１７は該側壁１２と間隔をあけて設けられている。尚、肘掛け１７は前方に向かうにつれて徐々に側壁１２に接近するようにカーブしている。
【００１９】
前記マッサージ機構１５は、マッサージ椅子１０本体とコード２１を介して接続された扁平箱状をなす操作器２２の操作に応じて作動される。図２に示すように、コード２１は操作器２２の基端（図２において右側端）中央に接続されるとともに、操作器２２の一扁平面に設けられた各種操作ボタン２３ａにて操作面２３が構成されている。各種操作ボタン２３ａの操作に応じた信号はコード２１を介してマッサージ椅子１０本体に出力され、その信号に基づいてマッサージ機構１５が作動するようになっている。また、背もたれ部１４の傾動等のマッサージ椅子１０の動作においても操作面２３の操作ボタン２３ａで操作可能となっている。
【００２０】
着座した使用者から見て右側（図１において奥側）の側壁１２における上面１２ａの前後方向中央部には、上記のような操作器２２を載置保持するための保持凹部３０が凹設されている。図３に示すように、側壁１２は硬質樹脂（硬質材料）よりなるベース部材３１の表面に合成皮革よりなる表皮材３２が被覆されてなるとともに、保持凹部３０の内面も表皮材３２からなる。保持凹部３０は、側壁１２の上面１２ａにおける肘掛け１７の真下位置に形成されている。つまり、保持凹部３０は平面視において肘掛け１７から幅方向にはみ出ない位置に形成されている。また、保持凹部３０は肘掛け１７の幅方向中央よりも座部１３側に形成されている。
【００２１】
保持凹部３０の側面は互いに平行に形成されるとともに、底部３０ａは座部１３側に向かうにつれて下方に傾斜している。この底部３０ａの部分におけるベース部材３１は座部１３側端面まで傾斜するとともに、この傾斜部を覆う表皮材３２は座部１３側端面で上方に折り返されて保持凹部３０の座部１３側の側部３０ｂを構成している。このため、座部１３側の側部３０ｂが撓み易く、操作器２２を容易に出し入れすることできる。
【００２２】
このような保持凹部３０は、操作面２３がマッサージ椅子１０の幅方向と直交するように操作器２２を載置保持可能となっており、操作面２３を水平にして載置保持する構成よりも操作器２２が保持凹部３０に深く入り込むようにすることが可能であるため、操作器２２が安定して載置保持されるようになっている。
【００２３】
また、保持凹部３０は、図２に示すように、その深さが操作器２２におけるコード２１との接続部から保持凹部３０の底部３０ａと当接する側端部２２ａまでの幅寸法より浅くなるように形成されている。このため、操作器２２の載置状態において、その半分以上の部分が保持凹部３０から突出するとともに、操作器２２のコード２１が保持凹部３０後方の角に引っ掛かって曲がってしまうことが防止される。
【００２４】
保持凹部３０の前後方向中央部において、座部１３側の側部３０ｂにはその上端を円弧状に切り欠いたような形状をなす開口部３０ｃが形成され、側部３０ｂは開口部３０ｃにより幅方向に開口している。開口部３０ｃ下端は底部３０ａまで延びており、保持凹部３０内部に溜まった塵埃等のゴミを開口部３０ｃから容易に除去することができる。
【００２５】
上記のようなマッサージ椅子１０では、操作器２２を保持凹部３０に載置した状態で操作面２３の操作ボタン２３ａを操作することが可能であり、この操作によりマッサージ椅子１０が作動されるようになっている。
【００２６】
次に、本実施形態の特徴的な作用効果を記載する。
（１）載置台としての側壁１２の上面１２ａにおける肘掛け１７の真下位置には、操作器２２を載置保持するための保持凹部３０が設けられ、その保持凹部３０は、操作面２３がマッサージ椅子１０の幅方向（座部１３に着座した使用者に対して左右方向）と直交する状態で、操作器２２を保持可能となっている。このため、操作面２３を水平にして載置保持する構成よりも操作器２２が保持凹部３０に深く入り込むようにすることが可能であり、これにより、操作器２２を安定して載置保持することができる。
【００２７】
（２）保持凹部３０は載置保持された操作器２２が該保持凹部３０から一部突出するような深さに形成されるため、該保持凹部３０に載置保持された操作器２２を取り出し易くすることができる。
【００２８】
（３）保持凹部３０の深さは、操作器２２におけるコード２１との接続部から保持凹部３０の底部３０ａと当接する端部までの幅寸法より浅く形成される。これにより、操作器２２の載置保持状態において、コード２１との接続部が保持凹部３０外に位置するため、コード２１が保持凹部３０の角に引っ掛かって曲がってしまうことが防止され、コード２１の早期劣化を防止することができる。特に、保持凹部３０の深さを操作器２２の前記幅寸法と同等とすれば、操作器２２を確実に保持しつつもコード２１の屈曲を防止することができる。
【００２９】
（４）保持凹部３０は肘掛け１７の幅方向中央より座部１３側に設けられるため、着座した使用者が保持凹部３０に載置保持された操作器２２を容易に取り出すことができる。
（５）保持凹部３０における座部１３側の側部３０ｂは、撓み易い表皮材３２にて構成されるため、操作器２２を座部１３側から容易に出し入れすることができる。
【００３０】
（６）保持凹部３０の底部３０ａは幅方向に傾斜しているため、載置保持された操作器２２の幅方向へのがたつきが抑制され、その結果、より安定して保持することができる。
（７）保持凹部３０における座部１３側の側部３０ｂには、幅方向に開口する開口部３０ｃが形成されるため、保持凹部３０内に溜まった塵埃等のゴミを開口部３０ｃから容易に除去することができる。
【００３１】
尚、本発明の実施形態は、以下のように変更してもよい。
・上記実施形態では、側壁１２のベース部材３１として樹脂材料が、表皮材３２として合成皮革がそれぞれ用いられたが、特にこれに限定されるものではなく、例えば、ベース部材３１として金属材料、表皮材３２として布や天然皮革（本皮）を用いてもよい。
【００３２】
・上記実施形態では、円弧状の開口部３０ｃは保持凹部３０のおける座部１３側の側部３０ｂに形成されたが、反対側の側部３０ｂに形成してもよい。また、円弧状でなく、例えば矩形に切り欠いたような形状としてもよい。
【００３３】
・上記実施形態では、保持凹部３０の底部３０ａは、座部１３側が深くなるように傾斜しているが、反座部１３側が深くなるように傾斜させてもよい。
・上記実施形態では、保持凹部３０における座部１３側の側部が表皮材３２にて構成されたが、反座部１３側の側部３０ｂと同様に、内部が剛体としての樹脂部材となる構成としてもよい。
【００３４】
・上記実施形態では、操作器２２は操作面２３が座部１３側を向くように載置されたが、裏面が座部１３側を向くように載置してもよい。
・上記実施形態では、保持凹部３０は着座した使用者から見て右側（図１において奥側）の側壁１２に設けられたが、左側の側壁１２に設けてもよい。
【図面の簡単な説明】
【００３５】
【図１】本実施形態におけるマッサージ椅子を示す斜視図である。
【図２】操作器が載置された保持凹部を座部側から見た側面図である。
【図３】操作器が載置された保持凹部を示す断面図である。
【符号の説明】
【００３６】
１０…マッサージ椅子、１２…載置台としての側壁、１２ａ…側壁の上面、１３…座部、１４…背もたれ部、１５…マッサージ機構、１７…肘掛け、２１…コード、２２…操作器、２３…操作面、２３ａ…各種操作ボタン、３０…保持凹部、３０ａ…保持凹部の底部、３０ｂ…保持凹部の側部、３０ｃ…開口部、３１…ベース部材、３２…表皮材。
【図１】
0004960185.tif 000002
【図２】
0004960185.tif 000003
【図３】
0004960185.tif 000004